(57)【要約】【課題】拡大表示時に拡大された部分が鮮明に表示される観察装置を提供すること。【解決手段】観察装置１０は、画像を撮影する撮像部２０と、撮像部の撮影条件を設定し、撮像部を制御する撮像制御部１１０と、撮像部により撮影された観察画像の表示中に所定の操作がされた場合に、観察画像の一部を拡大表示するよう制御するとともに、拡大されていない観察画像を基づいて設定された撮影条件の少なくとも一部を、拡大表示される対象に基づいて変更して設定するよう撮像制御部を制御する拡大制御部１４０と、を備える。【選択図】図１
2016213582.tif 000002
【特許請求の範囲】
【請求項１】
画像を撮影する撮像部と、
前記撮像部の撮影条件を設定し、前記撮像部を制御する撮像制御部と、
前記撮像部により撮影された観察画像の表示中に所定の操作がされた場合に、前記観察画像の一部を拡大表示するよう制御するとともに、拡大されていない観察画像を基づいて設定された前記撮影条件の少なくとも一部を、前記拡大表示される対象に基づいて変更して設定するよう前記撮像制御部を制御する拡大制御部と、を備える
ことを特徴とする観察装置。
【請求項２】
前記拡大制御部は、前記撮影条件として少なくとも露出またはピント合わせの基準を、前記拡大されていない観察画像から拡大表示される対象に変更するよう前記撮像制御部を制御する
ことを特徴とする請求項１に記載の観察装置。
【請求項３】
前記拡大制御部は、前記拡大表示時に、前記撮影条件としてピント合わせの基準を、前記拡大前の観察画像から拡大表示される対象に変更して、オートフォーカスを実行するよう前記撮像制御部を制御し、前記オートフォーカスの実行後に、マニュアルフォーカスを許可する
ことを特徴とする請求項１に記載の観察装置。
【請求項４】
前記拡大制御部は、前記拡大表示される対象に基づいて変更して設定される条件を拡大変更条件とし、前記拡大表示開始前の前記拡大変更条件を記憶し、前記拡大表示終了後に、前記撮像部の前記拡大変更条件を前記拡大表示開始前の前記拡大変更条件に戻すよう前記撮像制御部を制御する
ことを特徴とする請求項１に記載の観察装置。
【請求項５】
前記拡大制御部は、前記所定の操作として、マニュアルフォーカス操作がされた場合に、前記観察画像の一部を拡大表示するよう制御する
ことを特徴とする請求項１に記載の観察装置。
【請求項６】
前記拡大制御部は、前記拡大対象までの距離を測定し、前記測定された拡大対象までの距離と前記撮像部の現ピント位置を前記拡大表示される観察画像に表示するよう制御する
ことを特徴とする請求項１に記載の観察装置。
【請求項７】
請求項１乃至６のいずれか１項に記載の観察装置を備え、
前記観察装置により撮影された前記観察画像をライブビュー画像として表示し、
前記ライブビュー画像を記録する
ことを特徴とする撮像装置。
【請求項８】
画像を撮影する撮像部を備える観察装置おける画像観察方法において、
前記撮像部の撮影条件を設定し前記撮像部を制御するステップと
前記撮像部により撮影された観察画像の表示中に所定の操作がされた場合に、前記観察画像の一部を拡大表示するステップと、
前記観察画像の一部を拡大表示するステップにおいて、拡大されていない観察画像を基づいて設定された前記撮影条件の少なくとも一部を、前記拡大表示される対象に基づいて変更して設定するステップと、を含む
ことを特徴とする画像観察方法。
【請求項９】
画像を撮影する撮像部を備える観察装置のコンピュータに、画像観察処理を実現させるプログラムにおいて、
前記撮像部の撮影条件を設定し前記撮像部を制御するステップと
前記撮像部により撮影された観察画像の表示中に所定の操作がされた場合に、前記観察画像の一部を拡大表示するステップと、
前記観察画像の一部を拡大表示するステップにおいて、拡大されていない観察画像を基づいて設定された前記撮影条件の少なくとも一部を、前記拡大表示される対象に基づいて変更して設定するステップと、
をコンピュータに実行させることを特徴とするプログラム。
【発明の詳細な説明】
【技術分野】
【０００１】
本発明は、拡大表示機能付きの観察装置に関する。
【背景技術】
【０００２】
撮像素子により撮影された被写体画像を表示して被写体を観察する観察装置が、顕微鏡や内視鏡の分野で、広く利用されている。また、カメラのライブビュー機能も観察機能と言うことができ、その意味からすれば、カメラも観察装置を有している。
ピント調整は通常ＡＦ（オートフォーカス、自動合焦）により行われるが、被写体の特定の部分にピントを合わせたい場合には、ＡＦではなく、画面を見ながらのマニュアルフォーカスが用いられることが多い。
【０００３】
しかし、画面を見ながら手動でピントを合わせるので、ピントを合わせたい箇所が小さいエリア、あるいは隣接部分と区別がつきにくい色や輪郭の場合には、容易でない場合もある。そこで、マニュアルフォーカス時に、画面の一部を拡大表示するカメラが提案されている。例えば、特許文献１では、画面の一部を設定された絞りに応じた拡大率で表示するカメラが提案されている。
【先行技術文献】
【特許文献】
【０００４】
【特許文献１】特開２０１３−１２６１７７号公報
【発明の概要】
【発明が解決しようとする課題】
【０００５】
ピントの確認や調整のため、特定部分を拡大表示させた場合に、拡大画像は不明瞭な状態で表示されることが多い。特定部分には、拡大時点でピントや露出等が合っていない場合が多いからである。ピント合わせを補助する目的で拡大表示しても、視認性が悪いのでは使いづらい。また、ボケが大きい場合には、特定部分を画面上で見失ってしまうこともあり、せっかくの拡大表示の意味がなくなってしまう。
本願発明は、上記課題に鑑み、拡大表示時に拡大された部分が鮮明に表示される観察装置を提供することを目的とする。
【課題を解決するための手段】
【０００６】
上記目的を達成するために、本実施形態に係る観察装置は、画像を撮影する撮像部と、前記撮像部の撮影条件を設定し、前記撮像部を制御する撮像制御部と、前記撮像部により撮影された観察画像の表示中に所定の操作がされた場合に、前記観察画像の一部を拡大表示するよう制御するとともに、拡大されていない観察画像を基づいて設定された前記撮影条件の少なくとも一部を、前記拡大表示される対象に基づいて変更して設定するよう前記撮像制御部を制御する拡大制御部と、を備える。
【発明の効果】
【０００７】
本発明によれば、拡大表示時に拡大された部分が鮮明に表示される観察装置を提供することができる。
【図面の簡単な説明】
【０００８】
【図１】本発明に係る観察装置の主な機能を説明するためのブロック図である。
【図２】観察装置が搭載された撮像装置のブロック図である。
【図３】撮影者によって構えられた状態の撮像装置を横から見た図ある。
【図４】撮像装置による撮影シーンの例である。
【図５】背面表示部あるいは接眼表示部に表示される拡大画像の例を示す図である。
【図６】本実施形態の基本的な拡大制御処理を説明するフローチャートである。
【図７】撮像装置における具体的な拡大制御処理の手順を説明するフローチャートである。
【図８】拡大制御処理１の手順を説明するサブルーチンである。
【図９】拡大制御処理２の手順を説明するサブルーチンである。
【図１０】距離バーを直線で表示した距離情報の表示例である。
【図１１】距離バーを円弧で表示した距離情報の表示例である。
【発明を実施するための形態】
【０００９】
以下、図面に従って本発明の実施形態を説明する。本実施形態では、本発明に係る観察装置１０を、撮像装置１（カメラ）に搭載された例で説明する。図１は、本発明に係る観察装置１０の主な機能を説明するためのブロック図である。また、図２は、観察装置１０が搭載された撮像装置１のブロック図である。
【００１０】
図１から説明する。観察装置１０は、被写体を撮影し、撮影画像を表示して像を観察するためのものである。観察装置１０は、例えば、カメラ等の撮像装置１に組み込まれ、撮影時にライブビュー表示を行う。また、撮像装置１以外でも、観察装置１０は、顕微鏡や内視鏡に組み込まれて使用される。観察装置１０で表示部に表示される観察画像を、以下では撮像装置１の用途にあわせてライブビュー画像と呼ぶ。
【００１１】
観察装置１０は、撮像部２０、操作部３０、タッチ部４０、背面表示部５０、接眼表示部６０、記憶部７０及び制御部１００等を有する。撮像部２０は、被写体を撮影して、ライブビュー画像として表示される撮影画像データを出力する。撮像部２０は、撮影レンズ２２、撮像素子２４及び撮像処理部２６等を有する。
【００１２】
撮影レンズ２２は、被写体像を撮像素子２４に結像する。撮影レンズ２２は、ピント位置を調整するフォーカスレンズ、焦点距離を調整するズームレンズ、光量を調整する絞り、露光時間を調整するシャッター、及びこれらを駆動する駆動系を有する。
【００１３】
撮像素子２４は、ＣＣＤやＣＭＯＳ等の光電変換素子であって、撮影レンズ２２によって結像された被写体像に基づく画像信号を出力する。撮像処理部２６は、撮像素子２４を駆動するとともに、撮像素子２４からの画像信号にＡＧＣ処理やＣＤＳ処理を行い、ＡＤ変換して撮影画像データを出力する。
【００１４】
操作部３０は、撮影者からの操作指示を入力するものである。操作部３０は、各種ボタンや手動でピント位置を調整するためにフォーカスリングを有する。タッチ部４０は、画面から操作指示を入力するためのタッチパネルで、背面表示部５０と一体的に構成される。
【００１５】
背面表示部５０は、撮像装置１の背面に配置され、撮像部２０で撮影された画像をライブビュー画像として表示するものである。接眼表示部６０は、撮像部２０で撮影された画像をライブビュー画像として表示するもので、撮像装置１の上部に配置される。接眼表示部６０には、背面表示部５０よりも小型の表示素子が内蔵され、覗き込んで観察できるよう表示素子の前面に接眼レンズが設けられる。
【００１６】
記憶部７０は、ＲＡＭ（Random Access Memory）、ＲＯＭ（Read Only Memory）、不揮発性メモリなどで構成される。記憶部７０は、制御部１００を構成するＣＰＵ（Central Processing Unit）を制御するための制御プログラムなどの各種プログラムを格納するプログラムエリア、各種データを格納するデータエリアとして機能する。
【００１７】
制御部１００は、観察装置１０及び撮像装置１全体を統括的に制御するものである。制御部１００は、ＣＰＵを有し、記憶部７０の制御プログラムを読込んだＣＰＵにより、制御処理が実行される。制御部１００は、撮像制御部１１０、操作判定部１２０、表示制御部１３０、拡大制御部１４０、画像拡大部１５０、指定画像特定部１６０、距離判定部１７０及び距離情報生成部１７２等を、ＣＰＵにより実行される機能部として有する。
【００１８】
撮像制御部１１０は、撮像部２０の撮影条件を設定し、撮像部２０を制御するものである。撮像制御部１１０は、ＡＦ(オートフォーカス)制御部１１２及びＡＥ制御部１１４を有する。ＡＦ制御部１１２は、合焦位置を検出し、検出した合焦位置に撮像部２０のフォーカスレンズを移動させる。合焦方式は、コントラスト方式、あるいは撮像素子２４が撮像面位相差方式に対応する素子の場合には撮像面位相差方式でもよい。ＡＦ制御部１１２は、画面上で指定あるいは設定した検出エリアで、コントラスト方式あるいは撮像面位相差方式で合焦位置を検出する。ＡＦ制御部１１２は、通常は、画面の中心を検出エリアに設定する。
【００１９】
ＡＥ制御部１１４は、被写体の明るさを検出して、撮像部２０の露出を調整する。ＡＥ制御部１１４は、画面の設定された範囲で画像の輝度を検出して、輝度が適正になるように、撮影レンズ２２の絞りやシャッター速あるいは撮像処理部２６におけるＩＳＯ感度値を調整する。
操作判定部１２０は、操作部３０やタッチ部４０へ入力された信号から操作指示の内容を判定する。表示制御部１３０は、背面表示部５０や接眼表示部６０を制御して、背面表示部５０や接眼表示部６０にライブビュー画像を表示する。以下では、背面表示部５０や接眼表示部６０に表示された撮影画像を特にライブビュー画像と呼ぶ。
【００２０】
拡大制御部１４０は、撮影画像の一部を拡大する拡大表示を制御する。画像拡大部１５０は、拡大制御部１４０の制御により、撮影画像の一部を拡大する。画像拡大部１５０は、撮影画像データから指定された領域のデータを抽出して、補間処理等をして1画面分の拡大画像データを生成する。拡大画像データは、表示制御部１３０により拡大されたライブビュー画像として背面表示部５０に表示される。
【００２１】
指定画像特定部１６０は、ライブビュー画像の中で、操作者に指定された画像（以下、指定画像）を特定し、ライブビュー画像中で変化する指定画像の位置を検出する。指定画像特定部１６０は、指定された範囲に存在する画像を、特徴となる輪郭や色によって特定し、特徴点を記憶部７０に記憶する。そして、拡大表示時に指定画像が移動しても、指定画像特定部１６０は、特定した輪郭や色によって、全体の画像の中から、指定画像の位置を特定する。そして、画像拡大部１５０は、指定画像特定部１６０によって特定された指定画像の位置を含む領域を拡大する。
【００２２】
距離判定部１７０は、拡大表示される指定画像に対応した被写体（以下、拡大対象と呼ぶ）から観察装置１０までの距離を判定する。距離判定部１７０は、ＡＦ制御部１１２を利用して距離を判定する。距離情報生成部１７２は、撮影距離を表す「距離バー」と、この「距離バー」上に「拡大対象までの距離」と「ピント位置」を重ねた距離情報を生成する。距離情報は、表示制御部１３０によって拡大表示時に拡大画像上に表示される。距離情報の詳細は、図１０及び図１１で後述する。
【００２３】
そして、拡大制御部１４０は、撮像制御部１１０、画像拡大部１５０、指定画像特定部１６０、距離判定部１７０及び距離情報生成部１７２を制御して、拡大表示を行う。拡大制御部１４０は、ライブビュー画像の表示中に操作部３０やタッチ部４０から所定の操作がされた場合に、拡大表示を開始する。また、拡大制御部１４０は、タッチ部４０で拡大表示する画像が指定された場合には、指定された画像を拡大対象に設定し、指定がない場合には、画面中央の所定エリアを拡大対象にする。
【００２４】
そして、拡大制御部１４０は、拡大されていない観察画像を基づいて設定された撮影条件の少なくとも一部を、拡大表示される対象に基づいて変更して設定するよう撮像制御部１１０を制御する。具体的には、拡大制御部１４０は、撮像制御部１１０に、撮影条件の一部、例えば、露出とピント位置を調整する場合の検出領域を、拡大前の撮影画像から拡大対象の画像に変更させる。例えば、撮像制御部１１０は、拡大前には撮影画像の画面全体の中心を基準にピント位置を調整するが、拡大表示中は、拡大対象の画像の中心を基準にピント位置を調整する。
【００２５】
次に、図２により、撮像装置１の構成を簡単に説明する。撮像装置１は、観察装置１０以外に、画像処理部２００、保存メモリ２１０及び通信部２２０を有する。画像処理部２００は、撮像部２０から出力された撮影画像データを補間する補間処理部やＡＷＢ処理部や圧縮伸張処理部（不図示）を有する。保存メモリ２１０は、例えばフラッシュメモリで、画像処理部２００で圧縮された撮影画像データを記録する。通信部２２０は、ＵＳＢ接続により直接的に外部機器と画像データの通信を行ったり、あるいはＷｉ−Ｆｉ等によりネットワークを介して外部と画像データの通信を行う。
【００２６】
図３は、撮影者によって構えられた状態の撮像装置１を横から見た図である。撮像装置１に入射した被写体光は撮影レンズ２２によって撮像素子２４に結像される。撮像素子２４で結像された被写体光は画像データに変換されて、撮像装置１の背面に配置された背面表示部５０や、撮像装置１の上面に配置された接眼表示部６０にライブビュー画像として表示される。
【００２７】
また、撮影レンズ２２の周囲には手動でピント位置を調整するためのフォーカスリング３２が設けられる。撮影者は、接眼表示部６０に表示されるライブビュー画像を見ながら、フォーカスリング３２を手で動かすいわゆるマニュアルフォーカスによって、ピント位置を微調整することができる。例えば、花全体にピントを合わせる程度であればＡＦにより可能であるが、特定の花弁にピントを合わせたいような場合には、手動でフォーカスを合わせる必要がある。
【００２８】
図４は、撮像装置１による撮影（観察）シーンの例である。図４（Ａ）は、撮影者Ｐが被写体Ｊを狙って撮像装置１を構え、背面表示部５０で被写体Ｊの撮影チャンスを探っているような状態である。図４（Ｂ）は、背面表示部５０に表示された被写体Ｊを、指定する状態を示す図である。撮像装置１では、タッチ部４０（背面表示部５０）でタッチ操作により指定された画像が、拡大対象となる。
【００２９】
図５は、背面表示部５０あるいは接眼表示部６０に表示される拡大画像の例を示す図である。図５の画像Ｄ１は、本実施形態による拡大画像で、明瞭な状態で被写体Ｊが表示される場合である。このような拡大画像が表示されれば、被写体Ｊの頭部にマニュアルフォーカスでピントを調整することも可能にある。
【００３０】
一方、図５のＤ２〜Ｄ〜４は、本実施形態の拡大表示が適用されない場合の拡大画像である。このような拡大画像であると、被写体を認識することが困難になり、その後のマニュアルフォーカスの操作が難しくなる。図５の画像Ｄ２は、被写体Ｊにピントが合っていない場合である。また、図５の画像Ｄ３は、被写体Ｊが露光オーバで白とびに近い場合である。図５の画像Ｄ４は、被写体Ｊが露光アンダーで黒つぶれに近い場合である。拡大画像が、図５の画像Ｄ２〜画像Ｄ４のような状態であると、拡大した意味がなくなってしまう。
【００３１】
図６は、本実施形態の基本的な拡大制御処理を説明するフローチャートである。なお、図７以降で説明する具体的な拡大制御処理と区別するために、図６の処理を拡大制御基本処理と呼ぶ。
【００３２】
拡大制御部１４０は、拡大表示される対象物が指定されたかを判断する（ステップＳ１０）。図４（Ｂ）で示したように、撮影者は、タッチ部４０等で、対象物を指定することができる。
【００３３】
拡大制御部１４０は、拡大表示される対象物が指定されたと判断すると（ステップＳ１０Ｙｅｓ）、指定された対象物を拡大対象に設定する（ステップＳ１２）。拡大制御部１４０は、拡大表示される対象物が指定されていないと判断すると（ステップＳ１０Ｎｏ）、画面の中央部を拡大対象に設定する（ステップＳ１４）。
【００３４】
ステップＳ１２及びステップＳ１４に続いて、拡大制御部１４０は、設定した拡大対象を基準に露出を調整するように、撮像制御部１１０のＡＥ制御部１１４を制御し、拡大前の露出値を記憶部７０に記憶する（ステップＳ１６）。ＡＥ制御部１１４は、拡大対象に測光エリアを設定し、拡大対象の輝度に基づき撮影レンズ２２の絞りやシャッター速、撮像処理部２６のＩＳＯ感度等を調整する。
【００３５】
拡大制御部１４０は、設定した拡大対象に合焦するように、撮像制御部１１０のＡＦ制御部１１２を制御し、拡大前の撮影レンズ２２のピント位置を記憶部７０に記憶する（ステップＳ１８）。ＡＦ制御部１１２は、合焦エリアを拡大対象に設定する。
【００３６】
拡大制御部１４０は、拡大表示期間中であるかを判断する（ステップＳ２０）。拡大制御部１４０は、拡大開始後所定時間以内である場合や、フォーカスリングの操作中、あるいは拡大表示を終了するためのボタンが押下されるまでは、拡大表示期間中と判断する。
【００３７】
拡大制御部１４０は、拡大表示期間中であると判断すると（ステップＳ２０Ｙｅｓ）、撮像制御部１１０や画像拡大部１５０を制御して拡大表示制御を行い（ステップＳ２２）、ステップＳ２０に戻る。そして、拡大制御部１４０は、拡大表示期間中は、マニュアルフォーカスを許可する。さらに、拡大制御部１４０は、ＡＥ制御部１１４により、随時拡大対象に合わせて露出が調整されるようにしてもよい。
【００３８】
また、拡大制御部１４０は、拡大表示期間中でないと判断すると（ステップＳ２０Ｎｏ）、露出を拡大前に戻す（ステップＳ２４）。もちろん、厳密に絞り値やシャッタースピードや露光時間や感度などの数値そのものを「戻す」必要はなく、操作中に刻一刻と変わる状況に応じて対応可能なように、「露出モードや露出制御の基準の画像位置を戻す」という考え方でも良い。つまり、拡大表示とは別に全体の露出等を演算しておいて、拡大表示終了時には最新の設定で、すぐに全体像が表示されるような制御を行っても良い。また、この戻し方も、即座に戻す方法や、少しずつ徐々に人間の目を慣らすように戻す方法があるがどちらでもよい。このような工夫によって、確認時の視認性や軽快な操作を維持しつつ、ユーザが、拡大、縮小以外の画面変化の要因で混乱したりしないようにすることが出来る。
【００３９】
拡大制御部１４０は、記憶部７０に記憶させた拡大処理開始前の露出値を読み出して、ＡＥ制御部１１４を制御して、撮像部２０を拡大処理開始前の露出値に設定する。拡大制御部１４０は、画像拡大部１５０による拡大処理を止めて拡大表示を終了する（ステップＳ２６）。なお、拡大前の表示に戻した場合に、指示がされた場合には、ステップＳ１８で記憶したピント位置に戻すようにしてもよい。
【００４０】
なお、拡大表示開始時に拡大対象に「露出とピント」の基準を設定し調整すると説明したが、「露出とピント」は拡大対象に合わせて調整する撮影条件の代表例で、これに限定するものではない。調整する撮影条件としては、ホワイトバランスを加えてもよいし、また、露出とピントのいずれかだけであってもよい。なお、前述のように、この拡大表示期間中に、拡大対象あるいは拡大対象の一部にピントを合わせるようマニュアルフォーカス操作が可能である。
【００４１】
次に、図６で示した拡大制御処理を、撮像装置１の具体的な処理に組み込んだ例を説明する。図７は、撮像装置１における具体的な拡大制御処理の手順を説明するフローチャートである。
【００４２】
制御部１００は、撮影モードであるかを判断する（ステップＳ１００）。操作判定部１２０は、操作部３０に含まれる例えばモードダイヤルの位置により、撮像装置１の動作モードを判定する。
【００４３】
制御部１００は、撮影モードであると判断すると（ステップＳ１００Ｙｅｓ）、撮像制御部１１０は、撮像部２０を起動する（ステップＳ１０２）。
【００４４】
撮像制御部１１０は、予め設定された条件で、測光エリアや合焦エリアを設定し、設定されたエリアに基づき露出やピントを調整する。例えば、ＡＥ制御部１１４は平均測光で露出を調整し、ＡＦ制御部１１２は画像の中央でピントを調整する（ステップＳ１０４）。
【００４５】
制御部１００は、撮像部２０により撮影された画像をライブビュー画像として、表示制御部１３０により背面表示部５０あるいは接眼表示部６０に表示する（ステップＳ１０６）。操作判定部１２０は、背面表示部５０に表示されたライブビュー画像で、タッチ部４０により画像を指定する操作がなされたかを判定する（ステップＳ１０８）。
【００４６】
操作判定部１２０が、画像を指定する操作がなされたと判定すると（ステップＳ１０８Ｙｅｓ）、指定画像特定部１６０は、画像データ全体からタッチで指定された範囲に存在する画像を、特徴となる輪郭や色によって特定し（ステップＳ１１０）、輪郭や色等の特徴データを記憶部７０に記憶する。操作判定部１２０が、画像を指定する操作がされていないと判定すると（ステップＳ１０８Ｎｏ）、制御部１００は、ステップＳ１１０をスキップする。
【００４７】
操作判定部１２０は、拡大操作がなされたかを判断する（ステップＳ１１２）。拡大操作とは、前述した拡大表示を指示する操作である。拡大操作は、例えば、操作部３０に含まれるフォーカスリング３２に対する操作である。操作判定部１２０が、所定の拡大操作がなされたと判断すると（ステップＳ１１２Ｙｅｓ）、拡大制御部１４０は、拡大制御処理を実行する。なお、操作判定部１２０が、所定の拡大操作がされていないと判断すると（ステップＳ１１２Ｎｏ）、拡大制御部１４０は、ステップＳ１１６に進む。以下で、図６で説明した拡大制御基本処理の具体例を２例説明する。区別するため、拡大制御処理１及び拡大制御処理２とする。
【００４８】
図８は、拡大制御処理１の手順を説明するサブルーチンである。拡大制御部１４０は、ステップＳ１０８での指定有りか？を判断する（ステップＳ２００）。拡大制御部１４０は、ステップＳ１０８で指定有りと判断すると（ステップＳ２００Ｙｅｓ）、指定画像を拡大対象に設定する（ステップＳ２０２）。拡大制御部１４０は、ステップＳ１０８で指定されていないと判断すると（ステップＳ２００Ｎｏ）、画面の中央部を拡大対象に設定する（ステップＳ２０４）。
【００４９】
拡大制御部１４０は、「拡大対象に撮影条件を対応させる処理」が選択されているかを判断する（ステップＳ２０６）。例えば、「拡大対象に撮影条件を対応させる処理」を選択するボタン（例えばヘルプボタン）を背面表示部５０に表示し、そのボタンが押下された場合には、拡大制御部１４０は、拡大対象に撮影条件を対応させるようにする。
【００５０】
「拡大対象に撮影条件を対応させる処理」が選択されていない場合には、撮影条件の変更は行われない。つまり、拡大表示はされるが、撮影条件の基準は、拡大されない画像で続行される。
【００５１】
拡大制御部１４０は、「拡大対象に撮影条件を対応させる処理」が選択されたと判断すると（ステップＳ２０６Ｙｅｓ）、拡大制御部１４０は、設定した拡大対象を基準に露出を調整するように、撮像制御部１１０のＡＥ制御部１１４を制御し、拡大前の露出値を記憶部７０に記憶する（ステップＳ２０８）。
【００５２】
拡大制御部１４０は、設定した拡大対象に合焦するように、撮像制御部１１０のＡＦ制御部１１２を制御し、拡大前の撮影レンズ２２のピント位置を記憶部７０に記憶する（ステップＳ２１０）。ＡＦ制御部１１２は、合焦エリアを拡大対象に設定し、合焦を実行する。
【００５３】
また、拡大制御部１４０は、ＡＦ制御後に、再度絞りを調整してもよい（ステップＳ２１２）。例えば、絞りを最小絞りに調整すれば、拡大対象を見失うことをふせぐことができる。逆に、絞りを開放に調整すれば、ピント位置をより厳密に調整することができる。なお、ステップＳ２１２の処理の代わりに、ステップＳ２０８の露出調整時に、絞りを最小絞りあるいは開放絞りに調整するようにしてもよい。
【００５４】
また、拡大制御部１４０は、「拡大対象に撮影条件を対応させる処理」が選択されていないと判断すると（ステップＳ２０６Ｎｏ）、ステップＳ２１４に進む。拡大制御部１４０は、画像拡大部１５０を制御して、拡大対象の拡大表示を行う（ステップＳ２１４）。そして、拡大制御部１４０は、マニュアルフォーカスを許可する。
【００５５】
拡大制御部１４０は、マニュアルフォーカス（ＭＦ）中であるかを判断する（ステップＳ２１６）。フォーカスリング３２の操作中は、マニュアルフォーカス操作中と判断し、フォーカスリング３２の操作が所定時間ない場合や戻るボタンが操作された場合には、マニュアルフォーカス操作が終了したと判断する。
【００５６】
拡大制御部１４０は、マニュアルフォーカス中であると判断すると（ステップＳ２１６Ｙｅｓ）、撮像制御部１１０は、操作判定部１２０により検出されたフォーカスリング３２の操作に応じて、撮影レンズ２２のピント位置を調整して（ステップＳ２１８）、ステップＳ２１６に戻る。
【００５７】
なお、拡大表示中は、指定画像特定部１６０により特定された指定画像が存在する場合には、画像拡大部１５０は、指定画像の位置を拡大して表示する。また、拡大制御部１４０は、ステップＳ２１６とステップＳ２１８のマニュアルフォーカス操作中に、ＡＥ制御部１１４により、随時拡大対象に合わせて露出調整を行ってもよい。
【００５８】
拡大制御部１４０は、マニュアルフォーカス中でないと判断すると（ステップＳ２１６Ｎｏ）、拡大表示前の露出値を呼び出して、ＡＥ制御部１１４により、露出を拡大表示前に戻し（ステップＳ２２０）、画像拡大部１５０の処理を終了して拡大表示を終了する（ステップＳ２２２）。
【００５９】
図７に戻る。制御部１００は、操作判定部１２０により、ステップＳ１０８やステップＳ１１２以外の他の操作がされたかを判断する（ステップＳ１１６）。制御部１００は、他の操作がされたと判断すると（ステップＳ１１６Ｙｅｓ）、操作された種類に対応した制御を行う（ステップＳ１１８）。制御部１００は、他の操作がされていないと判断する場合には（ステップＳ１１６Ｎｏ）、ステップＳ１１８の処理をスキップする。
【００６０】
制御部１００は、操作判定部１２０により、撮影操作がされたかを判断する（ステップＳ１２０）。制御部１００は、撮影操作がされていないと判断すると（ステップＳ１２０Ｎｏ）、ステップＳ１００に戻る。
【００６１】
制御部１００は、撮影操作がされたと判断すると（ステップＳ１２０Ｙｅｓ）、撮影を行う（ステップＳ１２２）。制御部１００は、撮影された画像を背面表示部５０等に表示して、確認表示を行う（ステップＳ１２４）。制御部１００は、確認表示を所定時間行ったかを判断して（ステップＳ１２６）、所定時間経過するまでは（ステップＳ１２６Ｎｏ）、確認表示を継続する。
【００６２】
制御部１００は、確認表示を所定時間したと判断すると（ステップＳ１２６Ｙｅｓ）、確認表示を終了する。制御部１００は、操作判定部１２０により、電源オフ操作がされたかを判断し（ステップＳ１２８）、電源オフ操作がされたと判断すると（ステップＳ１２８Ｙｅｓ）、終了処理を行い動作を終了する。制御部１００は、電源オフ操作されていないと判断すると（ステップＳ１２８Ｎｏ）、ステップＳ１００に戻る。
【００６３】
ステップＳ１００に戻る。制御部１００は、撮影モードでないと判断すると（ステップＳ１００Ｎｏ）、再生モードであるかを判断する（ステップＳ１４０）。制御部１００は、再生モードであると判断すると（ステップＳ１４０Ｙｅｓ）、保存メモリ２１０から撮影した画像データを読み出し、画像処理部２００で伸張して、読み出した撮影済画像を背面表示部５０等に再生する（ステップＳ１４４）。
【００６４】
制御部１００は、再生終了の指示がされたかを判断する（ステップＳ１４６）。制御部１００は、再生終了の指示がされたと判断すると（ステップＳ１４６Ｙｅｓ）、ステップＳ１２８に進む。制御部１００は、再生終了の指示がされていないと判断すると（ステップＳ１４６Ｎｏ）、操作判定部１２０により操作部３０に含まれる送信ボタン（不図示）が操作されたかを判断する（ステップＳ１４８）。制御部１００は、送信ボタンが操作されたと判断すると（ステップＳ１４８Ｙｅｓ）、再生中の画像を、通信部２２０のＵＳＢやＷｉ―Ｆｉ等により、外部機器に送信する（ステップＳ１５０）。制御部１００は、ステップＳ１５０の後は、ステップＳ１４４に戻る。
【００６５】
制御部１００は、送信ボタンが操作されていないと判断すると（ステップＳ１４８Ｎｏ）、再生画像の変更操作がされたかを判断する（ステップＳ１５２）。制御部１００は、
再生画像の変更操作がされたと判断すると（ステップＳ１５２Ｙｅｓ）、操作に応じた画像を変更して（ステップＳ１５４）、ステップＳ１４４に戻る。また、制御部１００は、再生画像の変更操作がされていないと判断すると（ステップＳ１５２Ｎｏ）、ステップＳ１４４に戻る。
【００６６】
ステップＳ１４０に戻り、制御部１００は、再生モードではないと判断すると（ステップＳ１４０Ｎｏ）、設定されたモードに応じて、例えば、外部機器からの画像の受信処理などを行い（ステップＳ１４２）、ステップＳ１２８に進む。
【００６７】
次に、拡大制御処理２を説明する。拡大制御処理２は、拡大表示時に、ピント合わせをさらに容易にするために、拡大表示画面に拡大対象までの距離と現ピント位置を表示するものである。拡大制御処理として、拡大制御処理１または拡大制御処理２のいずれを実行するかを、撮影者が選択できるようにしておいてもよい。
【００６８】
図９は、拡大制御処理２の手順を説明するサブルーチンである。拡大制御処理２では、拡大制御処理１と共通する処理については、同じステップ番号で示し、共通する処理については、簡単に説明する。ステップＳ２００からステップＳ２１４までは、拡大制御処理１と共通するので、説明は省略する。
【００６９】
距離判定部１７０は拡大対象までの距離を測定する（ステップＳ２１５ａ）。距離判定部１７０は、ＡＦの形式がコントラストＡＦの場合には、コントラストピークを見つける処理を実行して拡大対象までの距離を測定し、撮像面位相差ＡＦの場合には、位相差情報により、拡大対象までの距離を測定する。
【００７０】
距離情報生成部１７２は、拡大対象までの距離と現在設定されているピントの位置を示す距離情報を表示する（ステップＳ２１５ｂ）。図１０及び図１１は、距離情報の表示例である。図１０は、距離情報の距離バー３０２を直線で表示した例で、図１１は、距離バー３０２を円弧で表示した例である。
【００７１】
図１０では、画面底部に距離バー３０２が水平の向きで配置され、拡大対象の位置から撮像装置１までの距離を示す距離マーク３０４と、撮影レンズ２２の現在のピント位置を示すピントマーク３０６が、それぞれ距離バー３０２上に表示される。距離バー３０２で右側が至近側で、左側が遠方側である。図１０の画面Ｅ１は、ピントマーク３０６が距離マーク３０４と一致した位置にあり、ピントが合った状態である。図１０の画面Ｅ２は、ピントマーク３０６が距離マーク３０４よりも遠方側にあり、ピントがずれた状態を示す図である。画面Ｅ２では、画面Ｅ１に比べて、被写体Ｊの画像が不鮮明になる。
【００７２】
図１１では、距離バー３０２が円弧形状で表示される。図１１の画面Ｅ３は、ピントマーク３０６が距離マーク３０４と一致した位置にあり、ピントが合った状態である。図１１の画面Ｅ４は、画面Ｅ３に対して、被写体Ｊが画面左側でかつ遠方側に移動した状態を示す図である。画面Ｅ４では、画面Ｅ３に比べて、被写体Ｊの画像が不鮮明になる。
【００７３】
図９に戻る。拡大制御部１４０は、マニュアルフォーカス中であるかを判断する（ステップＳ２１６）。マニュアルフォーカス中であるかの判断は、拡大制御処理１で説明したと同様である。拡大制御部１４０は、マニュアルフォーカス中であると判断すると（ステップＳ２１６Ｙｅｓ）、操作判定部１２０により検出されたフォーカスリング３２の操作に応じて、撮影レンズ２２のピント位置を調整して（ステップＳ２１８）、ステップＳ２１５ａに戻る。
【００７４】
拡大制御部１４０は、マニュアルフォーカス中でないと判断すると（ステップＳ２１６Ｎｏ）、拡大表示前の露出値を呼び出して、ＡＥ制御部１１４により、露出を拡大表示前に戻し（ステップＳ２２０）、画像拡大部１５０の処理を終了して拡大表示を終了する（ステップＳ２２２）。
【００７５】
以上のように、本実施形態の観察装置１０によれば、ピント合わせ用に拡大表示を行う際に、拡大されない画像に合わせて設定された撮影条件を、拡大対象に合わせて変更するので、拡大表示したためにかえって見づらくなる事態、あるいは対象を見失うことを防止できる。更に、拡大前画像に合わせて設定された撮影条件を記憶しておくので、拡大終了後に、撮影条件の再測定なしで、直ちに拡大なしの画像の表示に移行することができる。さらに、拡大表示画面に距離情報を表示することで、マニュアルフォーカスの操作がより快適になる。このように、操作に最適な画面を軽快に切り換えながら、ユーザのやりたいことを考慮して視認性を改善したので、ユーザの混乱をなくし、迅速な操作が可能になる。
【００７６】
なお、拡大対象の画像については、背面表示部５０等に表示するばかりでなく、記憶しておいて、撮影操作時に、撮影される拡大されない画像に付帯して保存記録してもよい。
【００７７】
また、制御部１００は、制御プログラムを読込んだＣＰＵによるソフトウェア処理により実現されると説明したが、一部または全部をハードウェアにより構成してもよい。
【００７８】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【００７９】
１      撮像装置
１０    観察装置
２０    撮像部
２２    撮影レンズ
２４    撮像素子
２６    撮像処理部
３０    操作部
４０    タッチ部
５０    背面表示部
６０    接眼表示部
７０    記憶部
１００  制御部
１１０  撮像制御部
１１２  ＡＦ制御部
１１４  ＡＥ制御部
１２０  操作判定部
１３０  表示制御部
１４０  拡大制御部
１５０  画像拡大部
１６０  指定画像特定部
１７０  距離判定部
１７２  距離情報生成部
２００  画像処理部
２１０  保存メモリ
２２０  通信部
【図１】
2016213582.tif 000003
【図２】
2016213582.tif 000004
【図３】
2016213582.tif 000005
【図６】
2016213582.tif 000006
【図７】
2016213582.tif 000007
【図８】
2016213582.tif 000008
【図９】
2016213582.tif 000009
【図４】
2016213582.tif 000010
【図５】
2016213582.tif 000011
【図１０】
2016213582.tif 000012
【図１１】
2016213582.tif 000013